(57)【要約】【課題】圧縮機から冷媒を吐出する際の圧力損失を低減させることによって、冷凍サイクル装置の成績係数を向上させる。【解決手段】ガスインジェクションサイクルを構成する冷凍サイクル装置の中間圧用膨張弁３の絞り開度を制御して、圧縮機１の圧縮室が吐出ポート１ｃと連通した際に、圧縮室内の冷媒圧力がサイクルの高圧側冷媒圧力Ｐｄに近づくように、インジェクションポート１ｂから圧縮室内へ流入する中間圧冷媒の圧力を調整する。これにより、吐出ポート１ｃを介して高圧側冷媒が圧縮室内へ逆流してしまうことを抑制でき、吐出ポート用の逆止弁を廃止できるので、圧縮機から冷媒を吐出する際の圧力損失を低減させて冷凍サイクル装置の成績係数を向上させることができる。【選択図】図２
2014095510.tif 000002
【特許請求の範囲】
【請求項１】
容積変化して冷媒を圧縮する圧縮室へ低圧冷媒を吸入させる吸入ポート（１ａ）、前記圧縮室にて圧縮過程の冷媒に中間圧冷媒を合流させるインジェクションポート（１ｂ）、および前記圧縮室にて圧縮された高圧冷媒を吐出する吐出ポート（１ｃ）を有する圧縮機（１）と、
前記吐出ポート（１ｃ）から吐出された冷媒を放熱させる放熱用熱交換器（２）と、
前記放熱用熱交換器（２）下流側の冷媒を前記中間圧冷媒となるまで減圧させる中間圧用減圧手段（３）と、
前記放熱用熱交換器（２）下流側の冷媒を前記低圧冷媒となるまで減圧させる低圧用減圧手段（５）と、
前記低圧用減圧手段（５）にて減圧された冷媒を蒸発させて、前記吸入ポート（１ａ）側へ流出させる蒸発用熱交換器（６）と、
前記中間圧用減圧手段（３）の作動を制御する中間圧制御手段とを備え、
前記中間圧制御手段は、前記圧縮室が前記吐出ポート（１ｃ）と連通した際に、前記圧縮室内の冷媒圧力が予め決定された所定圧力に近づくように、前記中間圧用減圧手段（３）の作動を制御することを特徴とする冷凍サイクル装置。
【請求項２】
前記所定圧力は、前記吐出ポート（１ｃ）から前記中間圧用減圧手段（３）の冷媒入口へ至るサイクルの高圧側冷媒圧力（Ｐｄ）であることを特徴とする請求項１に記載の冷凍サイクル装置。
【発明の詳細な説明】
【技術分野】
【０００１】
本発明は、ガスインジェクションサイクルを構成する冷凍サイクル装置に関する。
【背景技術】
【０００２】
従来、蒸気圧縮式の冷凍サイクルの能力もしくは成績係数（ＣＯＰ）を向上させるためのサイクル構成として、ガスインジェクションサイクル（エコノマイザ式冷凍サイクル）が知られている。この種のガスインジェクションサイクルでは、圧縮機の圧縮室にて昇圧過程の冷媒にサイクル側で生成した中間圧気相冷媒をインジェクションすることで冷凍サイクルの能力もしくは成績係数（ＣＯＰ）の向上を可能としている。
【０００３】
さらに、ガスインジェクションサイクルを構成する冷凍サイクル装置に適用される圧縮機としては、例えば、特許文献１に開示されているように、圧縮室へ低圧冷媒を吸入させる吸入ポート、圧縮室にて圧縮過程の冷媒に中間圧気相冷媒を合流させるインジェクションポート、および圧縮室にて圧縮された高圧冷媒を吐出する吐出ポートを有するものが知られている。
【０００４】
また、この特許文献１の圧縮機は、冷媒が圧縮室からインジェクションポートを介して圧縮機の外部へ逆流してしまうことを防止するためのインジェクションポート用の逆止弁、および冷媒が圧縮機の外部から吐出ポートを介して圧縮室へ逆流してしまうことを防止するための吐出ポート用の逆止弁の二つの逆止弁を備えている。
【先行技術文献】
【特許文献】
【０００５】
【特許文献１】特開平１１−１０７９５０号公報
【発明の概要】
【発明が解決しようとする課題】
【０００６】
しかしながら、特許文献１の圧縮機のように二つの逆止弁を備えることは、圧縮機の部品点数や組付工数を増加させ、圧縮機の製造コストを増加させてしまう原因となる。さらに、吐出ポート用の逆止弁は、圧縮機から冷媒を吐出する際の圧力損失を増加させるので、圧縮機の駆動動力を増加させてしまう原因となる。従って、吐出ポート用の逆止弁は、さらなるＣＯＰの向上を狙う際の妨げとなりやすい。
【０００７】
上記点に鑑み、本発明では、圧縮機から冷媒を吐出する際の圧力損失を低減させることによって、冷凍サイクル装置の成績係数を向上させることを目的とする。
【課題を解決するための手段】
【０００８】
本発明は、上記目的を達成するために案出されたもので、請求項１に記載の発明では、容積変化して冷媒を圧縮する圧縮室へ低圧冷媒を吸入させる吸入ポート（１ａ）、圧縮室にて圧縮過程の冷媒に中間圧冷媒を合流させるインジェクションポート（１ｂ）、および圧縮室にて圧縮された高圧冷媒を吐出する吐出ポート（１ｃ）を有する圧縮機（１）と、吐出ポート（１ｃ）から吐出された冷媒を放熱させる放熱用熱交換器（２）と、放熱用熱交換器（２）下流側の冷媒を中間圧冷媒となるまで減圧させる中間圧用減圧手段（３）と、放熱用熱交換器（２）下流側の冷媒を低圧冷媒となるまで減圧させる低圧用減圧手段（５）と、低圧用減圧手段（５）にて減圧された冷媒を蒸発させて、吸入ポート（１ａ）側へ流出させる蒸発用熱交換器（６）と、さらに、中間圧用減圧手段（３）の作動を制御する中間圧制御手段とを備え、
中間圧制御手段は、圧縮室が吐出ポート（１ｃ）と連通した際に、圧縮室内の冷媒圧力が予め決定された所定圧力に近づくように、中間圧用減圧手段（３）の作動を制御する冷凍サイクル装置を特徴とする。
【０００９】
これによれば、圧縮室が吐出ポート（１ｃ）と連通した際に、圧縮室内の冷媒圧力が予め決定された所定圧力以上となるように、中間圧制御手段が中間圧用減圧手段（３）の作動を制御するので、吐出ポート（１ｃ）を介してサイクルの高圧側の冷媒が圧縮室へ逆流してしまうことを抑制できる。
【００１０】
従って、従来技術における吐出ポート用の逆止弁に対応する構成を廃止することができる。これにより、圧縮機（１）から冷媒を吐出する際の圧力損失を低減させることができ、圧縮機（１）の駆動動力を低減させることができるので、冷凍サイクル装置の成績係数を向上させることができる。さらに、圧縮機（１）の製造コストの低減を図ることもできる。
【００１１】
また、所定圧力として、吐出ポート（１ｃ）から中間圧用減圧手段（３）の冷媒入口へ至るサイクルの高圧側冷媒圧力（Ｐｄ）を採用することにより、サイクルの高圧側の冷媒が吐出ポート（１ｃ）を介して圧縮室へ逆流してしまうことを効果的に抑制できる。
【００１２】
なお、この欄および特許請求の範囲で記載した各手段の括弧内の符号は、後述する実施形態に記載の具体的手段との対応関係を示すものである。
【図面の簡単な説明】
【００１３】
【図１】第１実施形態の冷凍サイクル装置の全体構成図である。
【図２】第１実施形態の冷凍サイクル装置の制御処理の要部を示すフローチャートである。
【図３】第１実施形態の回転角の変化に対する圧縮室の容積および圧縮室内の冷媒圧力変化を示すグラフである。
【図４】第２実施形態の冷凍サイクル装置の全体構成図である。
【発明を実施するための形態】
【００１４】
（第１実施形態）
図１〜図３により、本発明の第１実施形態を説明する。本実施形態の冷凍サイクル装置１０は、ヒートポンプ式給湯機に適用されており、給湯水を加熱する機能を果たす。さらに、冷凍サイクル装置１０は、図１の全体構成図に示すように、圧縮機１の圧縮室にて昇圧過程の冷媒にサイクル内の中間圧冷媒を合流させるガスインジェクションサイクルとして構成されている。
【００１５】
より具体的には、冷凍サイクル装置１０は、圧縮機１、水−冷媒熱交換器２、中間圧用膨張弁３、気液分離器４、低圧用膨張弁５、室外熱交換器６等を備えている。圧縮機１は、冷凍サイクル装置１０において冷媒を吸入し、圧縮して吐出するもので、その外殻を形成するハウジングの内部に、スクロール型の圧縮機構、およびこの圧縮機構を回転駆動する電動モータを収容して構成された電動圧縮機である。
【００１６】
スクロール型の圧縮機構は、ハウジングに固定された固定スクロールと、電動モータの回転軸に連結された可動スクロールとを有している。さらに、固定スクロールには、可動スクロール側に向かって突出する渦巻き状の固定側歯部が形成されており、一方、可動スクロールには、固定スクロール側に向かって突出して固定側歯部に噛み合う渦巻き状の可動側歯部が形成されている。
【００１７】
そして、固定スクロールの固定側歯部と可動スクロールの可動側歯部が噛み合って複数箇所で接触することによって、回転軸方向から見たときに三日月形状に形成される圧縮室が複数個形成される。この圧縮室は、電動モータの回転軸の回転に伴って可動スクロールが公転運動することによって、回転軸回りに旋回しながら外周側から中心側へ容積を減少させながら移動して冷媒を圧縮する。
【００１８】
また、圧縮機１のハウジングには、最外周側に移動している圧縮室に連通してハウジングの外部から圧縮室へ低圧冷媒を吸入させる吸入ポート１ａ、外周側から中心側への中間位置に移動した圧縮室に連通してハウジングの外部から圧縮室にて圧縮過程の冷媒に中間圧冷媒を合流させるインジェクションポート１ｂ、および中心側へ移動した圧縮室に連通して圧縮室から高圧冷媒を吐出する吐出ポート１ｃが設けられている。
【００１９】
さらに、インジェクションポート１ｂには、冷媒が圧縮室からインジェクションポートを介して圧縮機の外部へ逆流してしまうことを防止するための逆止弁が設けられている。これは、従来技術のインジェクションポート用の逆止弁に対応するものである。一方、本実施形態の吐出ポート１ｃには、従来技術の吐出ポート用の逆止弁に対応する構成は設けられていない。
【００２０】
電動モータは、後述する制御装置から出力される制御信号によって、その作動（回転数）が制御されるもので、交流モータ、直流モータのいずれの形式を採用してもよい。そして、この制御装置による回転数制御によって、圧縮機１の冷媒吐出能力が変更される。また、圧縮機１の吐出ポート１ｃには、水−冷媒熱交換器２の冷媒通路の入口側が接続されている。
【００２１】
水−冷媒熱交換器２は、圧縮機１の吐出ポート１ｃから吐出された高温高圧冷媒の有する熱を給湯水へ放熱させる放熱用熱交換器である。この水−冷媒熱交換器２としては、高圧冷媒を流通させる冷媒通路としての複数本のチューブを有し、隣り合う冷媒通路（チューブ）間に水通路を形成し、水通路内に給湯水と冷媒との間の熱交換を促進するインナーフィン等を配置して構成された熱交換器等を採用できる。水−冷媒熱交換器２の冷媒通路の出口側には、中間圧用膨張弁３の入口側が接続されている。
【００２２】
中間圧用膨張弁３は、水−冷媒熱交換器２下流側の高圧冷媒を中間圧冷媒となるまで減圧させる中間圧用減圧手段であって、制御装置から出力される制御信号によってその作動が制御される電気式膨張弁である。この中間圧用膨張弁３としては、冷媒を減圧させる絞り通路の開度を変更する弁体と、この弁体を変位させるステッピングモータからなる電動アクチュエータとを有して構成される電動式の可変絞り機構等を採用できる。中間圧用膨張弁３の出口側には、気液分離器４の入口側が接続されている。
【００２３】
気液分離器４は、中間圧用膨張弁３にて減圧されて気相混相状態となった中間圧冷媒の気液を分離する気液分離手段である。気液分離器４の気相冷媒流出口には、前述した圧縮機１のインジェクションポート１ｂが接続されている。気液分離器４の液相冷媒流出口には、低圧用膨張弁５の入口側が接続されている。
【００２４】
低圧用膨張弁５は、水−冷媒熱交換器２下流側の冷媒のうち気液分離器４にて分離された中間圧液相冷媒を低圧冷媒となるまで減圧させる低圧用減圧手段であって、その基本的構成は中間圧用膨張弁３と同様である。低圧用膨張弁５の出口側には、室外熱交換器６の冷媒入口側が接続されている。
【００２５】
室外熱交換器６は、低圧用膨張弁５にて減圧された低圧冷媒を、図示しない電動送風ファンから送風された外気と熱交換させて蒸発させる蒸発用熱交換器である。具体的には、室外熱交換器６としては、複数枚の熱交換促進用のプレートフィンに、複数本の冷媒チューブを串刺し状に配置し、各冷媒チューブ同士を蛇行状に接続して構成された熱交換器等を採用できる。室外熱交換器６の冷媒出口側には、圧縮機１の吸入ポート１ａが接続されている。
【００２６】
なお、本実施形態の冷凍サイクル装置１０では、冷媒として二酸化炭素を採用しており、圧縮機１の吐出ポートから中間圧用膨張弁３入口側へ至るサイクルの高圧側冷媒の圧力が、冷媒の臨界圧力以上となる超臨界冷凍サイクルを構成している。さらに、冷媒には、圧縮機１内部の各摺動部位を潤滑するオイル（冷凍機油）が混入されており、このオイルの一部は冷媒とともにサイクルを循環している。
【００２７】
また、ヒートポンプ式給湯機は、冷凍サイクル装置１０の他に、水−冷媒熱交換器２（具体的には、水通路）にて加熱された給湯水を貯湯する貯湯タンク、貯湯タンクと水−冷媒熱交換器２との間で給湯水を循環させる給湯水循環回路、および給湯水循環回路に配置されて給湯水を圧送する水ポンプ（いずれも図示せず）等を有している。
【００２８】
次に、本実施形態の電気制御部の概要を説明する。制御装置は、ＣＰＵ、ＲＯＭおよびＲＡＭ等を含む周知のマイクロコンピュータとその周辺回路から構成されている。制御装置の出力側には、前述の圧縮機１の電動モータ、中間圧用膨張弁３、低圧用膨張弁５、室外熱交換器６へ外気を送風する電動送風ファン、給湯水循環回路の水ポンプ等が接続され、制御装置は、これらの各種制御対象機器の作動を制御する。
【００２９】
一方、制御装置の入力側には、圧縮機１の吐出ポート１ｃから吐出された高圧側冷媒圧力Ｐｄを検出する高圧側圧力検出手段としての高圧側圧力センサ、圧縮機１のインジェクションポート１ｂから圧縮機１内へ流入する中間圧冷媒の圧力Ｐｍを検出する中間圧側圧力検出手段としての中間圧側圧力センサ、中間圧冷媒の温度Ｔｍを検出する中間圧側温度検出手段としての中間圧側温度センサ、圧縮機１の吸入ポート１ａから吸入させる低圧冷媒の圧力Ｐｓを検出する低圧側圧力検出手段としての低圧側圧力センサ、低圧冷媒の温度Ｔｓを検出する低圧側温度検出手段としての低圧側温度センサ、外気温Ｔａｍを検出する外気温検出手段としての外気温センサといった各種給湯器制御用のセンサ群が接続され、これらのセンサ群の検出信号が制御装置へ入力される。
【００３０】
さらに、制御装置の入力側には、図示しない操作パネルが接続されている。この操作パネルには、ヒートポンプ式給湯機の作動信号あるいは停止信号を出力する作動スイッチ、給湯水の沸上温度（目標加熱温度）を設定する温度設定スイッチ等が設けられ、これらのスイッチの操作信号が制御装置へ入力される。
【００３１】
なお、本実施形態の制御装置は、圧縮機１の電動モータや中間圧用膨張弁３等を制御する制御手段が一体に構成されたものであるが、本実施形態では、制御装置のうち、中間圧用膨張弁３の作動を制御する構成（ハードウェアおよびソフトウェア）を中間圧制御手段とする。もちろん、中間圧制御手段を、制御装置に対して別の制御装置によって構成してもよい。
【００３２】
次に、上記構成における本実施形態のヒートポンプ式給湯機の作動を説明する。ヒートポンプ式給湯機に外部から電源が供給された状態で、操作パネルに設けられた給湯機の作動信号が制御装置に入力されると、制御装置が予め記憶回路に記憶している制御処理（制御プログラム）を実行する。
【００３３】
より具体的には、この制御処理のメインルーチンでは、操作パネルの操作信号および上述した給湯器制御用のセンサ群により検出された検出信号を読み込み、読み込まれた操作信号および検出信号に基づいて、冷凍サイクル装置１０の各種制御対象機器の制御状態（具体的には、各種制御対象機器へ出力される制御信号あるいは制御電圧）を決定する。
【００３４】
例えば、圧縮機１の電動モータへ出力される制御信号については、操作パネルからの給湯温度設定信号および外気温センサにより検出された外気温Ｔａｍに基づいて、制御装置のＲＯＭ（記憶回路）に記憶された制御マップを参照して決定される。具体的には、給湯温度設定信号による設定温度の上昇および外気温Ｔａｍの低下に伴って、圧縮機１の回転数（冷媒吐出能力）が増加するように決定される。
【００３５】
また、中間圧用膨張弁３の電動アクチュエータに出力される制御信号については、圧縮機１の圧縮室が吐出ポート１ｃと連通した際に、圧縮室内の冷媒圧力が吐出ポート１ｃから中間圧用膨張弁３の冷媒入口へ至るサイクルの高圧側冷媒圧力Ｐｄに近づくように決定される。より具体的には、図２のフローチャートに示すように決定される。なお、図２のフローチャートは、メインルーチンのサブルーチンとして実行される制御フローである。
【００３６】
ここで、本実施形態のスクロール型の圧縮機構のように、圧縮室の容積を縮小させることによって冷媒を圧縮する圧縮機構では、圧縮室の容積縮小量に応じて圧縮室内の冷媒圧力の上昇量（昇圧量）を算出することができる。従って、インジェクションポート１ｂに連通した際の圧縮室内の冷媒圧力に基づいて、吐出ポート１ｃと連通した際の圧縮室内の冷媒圧力を算出することができる。
【００３７】
そこで、本実施形態では、図２のフローチャートに示すように、中間圧用膨張弁３の電動アクチュエータに出力される制御信号を決定している。まず、ステップＳ１では、メインルーチンで読み込まれた外気温Ｔａｍ、低圧冷媒の温度Ｔｓから、吸入ポート１ａに連通した圧縮室内の第１冷媒圧力Ｐ１を算出する。なお、低圧側圧力検出手段としての低圧側圧力センサが設けられる場合にはその検出値を用いて第１冷媒圧力Ｐ１を算出してもよい。
【００３８】
さらに、ステップＳ１では、メインルーチンで読み込まれた中間圧冷媒の温度Ｔｍから中間圧冷媒の圧力Ｐｍを算出する。なお、中間圧側圧力検出手段としての中間圧側圧力センサが設けられている場合にはその検出値を用いて中間圧冷媒の圧力Ｐｍを算出してもよい。以上により算出された第１冷媒圧力Ｐ１、中間圧冷媒の圧力Ｐｍから、インジェクションポート１ｂに連通した圧縮室内の第２冷媒圧力Ｐ２を算出する。この第２冷媒圧力Ｐ２は、圧縮室と中間圧冷媒が流通する配管との連通が遮断される直前の圧力であり、インジェクションポート１ｂに連通している圧縮室内の最大圧力である。
【００３９】
続くステップＳ２では、ステップＳ１にて算出された第２冷媒圧力Ｐ２から、吐出ポート１ｃと連通した際の圧縮室あるいは吐出ポート１ｃに連通する直前の圧縮室内の第３冷媒圧力Ｐ３を算出する。
【００４０】
そして、ステップＳ３にて、第３冷媒圧力Ｐ３が高圧側圧力センサによって検出された高圧側冷媒圧力Ｐｄよりも低くなっているか否かを判定する。ステップＳ３にて、第３冷媒圧力Ｐ３が高圧側冷媒圧力Ｐｄよりも低くなっていると判定された場合には、ステップＳ４へ進み、中間圧用膨張弁３の絞り開度を予め定めた所定量増加させるように制御信号を決定して、メインルーチンへ戻る。
【００４１】
このようにステップＳ４にて、中間圧用膨張弁３の絞り開度を増加させることにより、中間圧用膨張弁３における冷媒減圧量が減少し、インジェクションポート１ｂから圧縮室へ流入する冷媒の圧力が上昇する。その結果、吐出ポート１ｃと連通した際の圧縮室あるいは吐出ポート１ｃに連通する直前の圧縮室内の第３冷媒圧力Ｐ３が上昇して、高圧側冷媒圧力Ｐｄに近づく。
【００４２】
一方、ステップＳ３にて、第３冷媒圧力Ｐ３が高圧側冷媒圧力Ｐｄよりも低くなっていない、すなわち第３冷媒圧力Ｐ３が高圧側冷媒圧力Ｐｄ以上となっていると判定された場合には、ステップＳ５へ進み、中間圧用膨張弁３の絞り開度を予め定めた所定量減少させるように制御信号を決定して、メインルーチンへ戻る。
【００４３】
このようにステップＳ５にて、中間圧用膨張弁３の絞り開度を減少させることにより、中間圧用膨張弁３における冷媒減圧量が増加し、インジェクションポート１ｂから圧縮室へ流入する冷媒の圧力が低下する。その結果、吐出ポート１ｃと連通した際の圧縮室あるいは吐出ポート１ｃに連通する直前の圧縮室内の第３冷媒圧力Ｐ３が低下して、高圧側冷媒圧力Ｐｄに近づく。
【００４４】
また、低圧用膨張弁５の電動アクチュエータに出力される制御信号については、冷凍サイクル装置１０の高圧側冷媒圧力Ｐｄが目標高圧となるように決定される。この目標高圧は、外気温Ｔａｍおよび圧縮機１の冷媒吐出能力から推定される圧縮機１吐出冷媒温度に基づいて、予め制御装置のＲＯＭに記憶された制御マップを参照して、冷凍サイクル装置１０の成績係数（ＣＯＰ）が略最大となるように決定される。
【００４５】
また、室外熱交換器６へ外気を送風する電動送風ファンへ出力される制御電圧については、外気温Ｔａｍに基づいて、予め制御装置のＲＯＭに記憶された制御マップを参照して決定される。また、給湯水循環回路の水ポンプへ出力される制御電圧については、フィードバック制御手法等を用いて、水−冷媒熱交換器２の水通路から流出する給湯水の沸上温度が温度設定スイッチによって設定された目標加熱温度に近づくように決定される。
【００４６】
そして、上記の如く決定された制御信号および制御電圧が各種制御対象機器へ出力される。その後、操作パネルによってヒートポンプ式給湯機の作動停止が要求されるまで、所定の制御周期毎に、上述の検出信号および操作信号の読み込み→各種制御対象機器の制御状態の決定→各種制御対象機器への制御電圧および制御信号の出力といった制御ルーチンが繰り返される。
【００４７】
従って、本実施形態のヒートポンプ式給湯機を作動させると、冷凍サイクル装置１０の圧縮機１から吐出された高温高圧冷媒が水−冷媒熱交換器２の冷媒通路へ流入する。水−冷媒熱交換器２の冷媒通路へ流入した高温高圧冷媒は、水−冷媒熱交換器２の水通路を流通する給湯水に放熱してエンタルピを低下させる。これにより、給湯水が加熱され、加熱された給湯水は、貯湯タンクへ流入して貯留される。
【００４８】
一方、水−冷媒熱交換器２から流出した高圧冷媒は、中間圧用膨張弁３にて中間圧冷媒となるまで減圧されて気液分離器４へ流入する。気液分離器４にて分離された中間圧気相冷媒は、インジェクションポート１ｂから圧縮機１へ流入する。一方、気液分離器４にて分離された中間圧液相冷媒は、低段側膨張弁３にて低圧冷媒となるまで減圧されて室外熱交換器６へ流入する。
【００４９】
室外熱交換器６へ流入した冷媒は、送風ファンから送風された外気から吸熱して蒸発する。そして、室外熱交換器６から流出した冷媒は、圧縮機１の吸入ポート１ａから吸入されて再び圧縮される。
【００５０】
本実施形態のヒートポンプ式給湯機は、以上の如く作動して、冷凍サイクル装置１０の水−冷媒熱交換器２にて給湯水を加熱することができる。また、本実施形態の冷凍サイクル装置１０はガスインジェクションサイクルを構成しているので、通常の冷凍サイクルよりも加熱能力もしくはサイクルの成績係数（ＣＯＰ）の向上を図ることができる。
【００５１】
さらに、本実施形態の冷凍サイクル装置１０では、図２のフローチャートで説明したように、吐出ポート１ｃと連通した際の圧縮室あるいは吐出ポート１ｃに連通する直前の圧縮室内の第３冷媒圧力Ｐ３が高圧側冷媒圧力Ｐｄに近づくように、中間圧用膨張弁３の作動を制御している。従って、圧縮室が吐出ポート１ｃと連通した際に、吐出ポート１ｃを介してサイクルの高圧側の冷媒が圧縮室へ逆流してしまうことを抑制できる。
【００５２】
このことを図３のグラフを用いて説明する。ここで、低段側容積変化率と高段側容積変化率が略同等に形成されている圧縮機を備えるガスインジェクションサイクルを構成する冷凍サイクル装置では、一般的に、水−冷媒熱交換器２における給湯水の加熱能力を充分に確保しつつ、冷凍サイクルのＣＯＰの向上を狙うため、第１冷媒圧力Ｐ１に対する第２冷媒圧力Ｐ２の比Ｐ２／Ｐ１を２程度に制御している。
【００５３】
このように比Ｐ２／Ｐ１が２程度に制御される従来技術の冷凍サイクル装置では、図３の太破線で示すように、吐出ポート１ｃと連通した際の圧縮室内の冷媒圧力が高圧側冷媒圧力Ｐｄよりも低くなってしまう。このため、吐出ポート１ｃを介してサイクルの高圧側の冷媒が圧縮室へ逆流してしまうことを抑制するための吐出ポート側の逆止弁を設ける必要がある。
【００５４】
これに対して、本実施形態では、図２のフローチャートで説明したように中間圧用膨張弁３の作動を制御することによって、比Ｐ２／Ｐ１を一般的な値（具体的には、２）より高い値（具体的には、３程度）としている。従って、図３の太実線で示すように、第２冷媒圧力Ｐ２を上昇させて、吐出ポート１ｃと連通した際の圧縮室内の第３冷媒圧力Ｐ３を高圧側冷媒圧力Ｐｄに近づけることができる。
【００５５】
その結果、圧縮室が吐出ポート１ｃと連通した際に、吐出ポート１ｃを介してサイクルの高圧側の冷媒が圧縮室へ逆流してしまうことを抑制でき、従来技術における吐出ポート用の逆止弁に相当する構成を廃止することができる。
【００５６】
これにより、圧縮機１から冷媒を吐出する際の圧力損失を低減させることができるとともに、圧縮室から従来技術における吐出ポート用の逆止弁へ至る部位とを接続する空間（デッドボリューム）分の不必要な昇圧を行う必要がなくなる。従って、従来技術のガスインジェクションサイクルを構成する冷凍サイクル装置に対してＣＯＰを向上させることができる。
【００５７】
さらに、従来技術における吐出ポート用の逆止弁に対応する構成を廃止することで圧縮機１の部品点数や組付工数を減少させることができるので、圧縮機１の製造コストの低減を図ることができる。延いては、冷凍サイクル装置１０全体としての製造コストの低減を図ることもできる。
【００５８】
（第２実施形態）
第１実施形態では、気液分離手段である気液分離器４を用いて冷凍サイクル装置１０を構成した例を説明したが、本実施形態では、図４に示すように、気液分離器４を廃止するとともに、内部熱交換器７を採用して冷凍サイクル装置１０ａを構成した例を説明する。なお、図４では、第１実施形態と同一もしくは均等部分には同一の符号を付している。
【００５９】
より具体的には、本実施形態の冷凍サイクル装置１０ａでは、水−冷媒熱交換器２で熱交換を終えた高圧冷媒の流れを分岐する分岐部を設けている。そして、本実施形態の中間圧用膨張弁３は、前記の分岐部で分岐された一方の高圧冷媒を中間圧冷媒となるまで減圧させる。
【００６０】
内部熱交換器７は、中間圧用膨張弁３にて減圧された中間圧冷媒と分岐部で分岐された他方の高圧冷媒とを熱交換させて、中間圧冷媒を加熱気化させるとともに、他方の高圧冷媒のエンタルピを低下させるものである。具体的には、高圧冷媒を流通させる外側管の内側に中間圧冷媒を流通させる内側管を配置する二重管方式の熱交換器等を採用することができる。
【００６１】
内部熱交換器７における中間圧冷媒の流路の出口側には、圧縮機１のインジェクションポート１ｂが接続されている。また、内部熱交換器７において高圧冷媒の流路の出口側には、低圧用膨張弁５の入口側が接続されている。つまり、本実施形態の低圧用膨張弁５は、水−冷媒熱交換器２下流側の冷媒のうち内部熱交換器７から流出した高圧冷媒を低圧冷媒となるまで減圧させる。
【００６２】
その他の構成および作動は第１実施形態と同様である。従って、本実施形態のように冷凍サイクル装置１０ａを構成しても、第１実施形態と全く同様に加熱能力もしくはＣＯＰ向上効果および製造コストの低減効果を得ることができる。
【００６３】
（他の実施形態）
本発明は上述の実施形態に限定されることなく、本発明の趣旨を逸脱しない範囲内で、以下のように種々変形可能である。
【００６４】
（１）上述の実施形態では、圧縮機としてスクロール型の圧縮機構を電動モータで回転駆動する電動圧縮機を採用した例を説明したが、圧縮機はこれに限定されない。
【００６５】
例えば、圧縮機構としては、容積を縮小させることによって圧縮室内の冷媒を圧縮する容積型の圧縮機構であれば、ベーン型圧縮機構、ローリングピストン型圧縮機構等の各種形式のものを採用することができる。さらに、圧縮機構を駆動する駆動手段についても電動モータに限定されることなく、例えば、内燃機関（エンジン）を採用してもよい。
【００６６】
また、上述の実施形態では、１つの圧縮機構を備える圧縮機１を採用しているが、インジェクションポート１ｂから中間圧冷媒を流入させて圧縮過程の冷媒に合流させることが可能であれば、例えば、２つの圧縮機構を１つのハウジング内に収容した圧縮機１を採用してもよい。
【００６７】
さらに、２つの圧縮機を直列的に接続して１つの圧縮機１を構成してもよい。この場合は、低段側に配置される低段側圧縮機の吸入ポートが圧縮機１全体としての吸入ポート１ａとなり、高段側に配置される高段側圧縮機の吐出ポートが圧縮機１全体としての吐出ポート１ｃとなり、低段側圧縮機の吐出ポートと高段側圧縮機の吸入ポートとの接続部に圧縮機１全体としてのインジェクション１ｂを設ければよい。
【００６８】
（２）上述の実施形態では、図２のフローチャートのステップＳ３にて、第３冷媒圧力Ｐ３が高圧側冷媒圧力Ｐｄよりも低くなっているか否かを判定した例を説明したが、高圧側冷媒圧力Ｐｄの代わりに、高圧側冷媒圧力Ｐｄの目標値となる目標高圧を用いてもよい。
【００６９】
（３）上述の実施形態では、冷凍サイクル装置１０、１０ａをヒートポンプ式給湯機に適用した例を説明したが、冷凍サイクル装置１０、１０ａの適用はこれに限定されない。例えば、空調装置に適用して、空調対象空間へ送風される送風空気の温度を調整するために用いてもよい。
【００７０】
（４）上述の実施形態では、冷凍サイクルの冷媒として二酸化炭素を採用した例を説明したが、冷媒はこれに限定されない。例えば、冷媒としてＨＦＣ系冷媒（具体的には、Ｒ１３４ａ）やＨＦＯ系冷媒（例えば、Ｒ１２３４ｙｆ）等を採用して圧縮機１から吐出された高圧冷媒の圧力が冷媒の臨界圧力を超えない亜臨界冷凍サイクルを構成してもよい。
【符号の説明】
【００７１】
１        圧縮機
１ａ      吸入ポート
１ｂ      インジェクションポート
１ｃ      吐出ポート
２        水−冷媒熱交換器（放熱用熱交換器）
３        中間圧用膨張弁（中間圧用減圧手段）
５        低圧用膨張弁（低圧用減圧手段）
６        室外熱交換器（蒸発用熱交換器）
【図１】
2014095510.tif 000003
【図２】
2014095510.tif 000004
【図３】
2014095510.tif 000005
【図４】
2014095510.tif 000006